(57)【要約】      （修正有）【課題】循環時にカーブする箇所を通過する時や、スムーズに循環運行ができない箇所を通過する時でも、チェーンベルトに過大な負荷がかかりにくく、連接箇所が断裂しにくいボール保持器を提供する。【解決手段】ボール保持器１００は、チェーンベルト１０、鉤部２０、凹部３０を備える。チェーンベルト１０は、相対するように位置する第１の端部１１と第２の端部１２を有する。鉤部２０が凹部３０と対応するように係合した後、ボール保持器１００の運行中においてチェーンベルト１０が作用力を受けて、第１の端部１１と第２の端部１２が相対的に離間されると、鉤部２０は凹部３０から離脱し、作用力が消失した後、ボール保持器１００が運行中のチェーンベルト１０の第１の端部１１と第２の端部１２は相対的に近づき、鉤部２０と凹部３０はスムーズに対応するように係合する。【選択図】図３
0003234633.tif 000002
【実用新案登録請求の範囲】
【請求項１】
チェーンベルトと、鉤部と、凹部を備えたボール保持器であって、
前記チェーンベルトは、相対する２つの端部に位置する第１の端部と第２の端部を有し、前記第１の端部と前記第２の端部の間には複数の収納部が設けられ、各前記収納部はボールを収納するのに用いられ、
前記鉤部は前記チェーンベルトの前記第１の端部に設けられ、
前記凹部は前記鉤部と対応するように設けられると共に、前記第２の端部に設けられ、
前記ボール保持器の前記鉤部が前記凹部と対応するように係合すると、外周側と内周側を形成し、前記鉤部は前記外周側へ延伸するように形成され、前記凹部は内周側に形成され、
前記鉤部が前記凹部と対応するように係合した後、前記ボール保持器の運行中において前記チェーンベルトが作用力を受けて、前記第１の端部と前記第２の端部が相対的に離間されると、前記鉤部は前記凹部から離脱し、
前記作用力が消失した後、前記ボール保持器は運行中に前記チェーンベルトの前記第１の端部と前記第２の端部が相対的に近づき、前記鉤部と前記凹部はスムーズに対応するように係合する
ことを特徴とするボール保持器。
【請求項２】
前記凹部は凹溝と当接部を備え、前記鉤部は第１の連接部と第２の連接部を備え、前記鉤部が前記凹部と係合した後、前記当接部は前記鉤部の前記第２の連接部の前記外周側に対応するように設置されて前記第１の連接部に当接し、前記第１の連接部は前記凹溝内に収容される
ことを特徴とする請求項１に記載のボール保持器。
【請求項３】
前記第２の連接部は、前記チェーンベルトの前記第１の端部と前記第１の連接部に連接され、前記第１の連接部は前記第２の連接部から離れた側に斜面が形成される
ことを特徴とする請求項２に記載のボール保持器。
【請求項４】
前記第２の連接部は弾性変形量を有し、前記鉤部が前記凹部に係合したとき、前記チェーンベルトが前記作用力を受けて前記第１の端部と前記第２の端部が相対的に離間したとき、前記第２の連接部には弾性変形が発生して、前記鉤部は前記凹部から離脱する
ことを特徴とする請求項３に記載のボール保持器。
【請求項５】
前記鉤部は第１の連接部と第２の連接部を備え、前記第２の連接部は前記チェーンベルトの前記第１の端部と前記第１の連接部と連接し、前記第１の連接部は前記第２の連接部から離れた側に斜面が形成される
ことを特徴とする請求項１に記載のボール保持器。
【請求項６】
前記鉤部は変形して前記凹部から離脱する
ことを特徴とする請求項１に記載のボール保持器。
【請求項７】
前記凹部は前記チェーンベルトと互いに連接する箇所が変形し、前記鉤部を前記凹部から離脱させる
ことを特徴とする請求項１に記載のボール保持器。
【請求項８】
他の複数の鉤部を更に備え、前記他の複数の鉤部は前記鉤部と前記チェーンベルトの前記第１の端部の間に設けられ、前記他の複数の鉤部と前記鉤部のうちの何れか一つは前記凹部と対応するように係合する
ことを特徴とする請求項１に記載のボール保持器。
【請求項９】
他の複数の凹部を更に備え、前記他の複数の凹部は前記凹部と前記チェーンベルトの前記第２の端部の間に設けられ、前記鉤部は前記凹部と前記他の複数の凹部のうちの何れか一つに対応するように係合する
ことを特徴とする請求項１に記載のボール保持器。
【請求項１０】
前記ボール保持器の材質はプラスチックである
ことを特徴とする請求項１に記載のボール保持器。
【考案の詳細な説明】
【技術分野】
【０００１】
本考案はボール保持器に関し、特に、端部に鉤上の構造を具備するボール保持器に関する。
【背景技術】
【０００２】
従来の保持器はヘッドとテールが接続されていないので、伝達部材が負荷のかかる下で動作しているとき、負荷容量は大幅に減少してしまっていた。一方、長年の開発の結果、ヘッドとテール（頭と尻尾）接続するチェーンベルト構造のボール保持器が登場した。ここで、従来の電動部材にはさまざまな接続タイプがあり、例えば、ボルト接続、凹凸部材接続、ボールジョイント接続等が挙げられる。
【考案の概要】
【考案が解決しようとする課題】
【０００３】
しかし、以上のような構造のチェーンベルトのヘッドとテールの連接については、連接する箇所の活動性、変形可能性等が大幅に低下してしまい、円周方向の回転に加えて、移動中においても僅かに凹凸がありスムーズに運行できない箇所における伝動部材の運行が困難となり易いといった問題があった。このため、甚だしきに至っては連接箇所の接続が切れてしまったり、部材が外れてしまったりし、運行障害の原因となっていた。
【課題を解決するための手段】
【０００４】
上記の問題に鑑みて本考案は以下の構成を備える。
【０００５】
本考案によるボール保持器は、チェーンベルトと、鉤部と、凹部を備えたボール保持器であって、
前記チェーンベルトは、相対する２つの端部に位置する第１の端部と第２の端部を有し、前記第１の端部と前記第２の端部の間には複数の収納部が設けられ、各前記収納部はボールを収納するのに用いられ、
前記鉤部は前記チェーンベルトの前記第１の端部に設けられ、
前記凹部は前記鉤部と対応するように設けられると共に、前記第２の端部に設けられ、
前記ボール保持器の前記鉤部が前記凹部と対応するように係合すると、外周側と内周側を形成し、前記鉤部は前記外周側へ延伸するように形成され、前記凹部は内周側に形成され、
前記鉤部が前記凹部と対応するように係合した後、前記ボール保持器の運行中において前記チェーンベルトが作用力を受けて、前記第１の端部と前記第２の端部が相対的に離間されると、前記鉤部は前記凹部から離脱し、
前記作用力が消失した後、前記ボール保持器は運行中に前記チェーンベルトの前記第１の端部と前記第２の端部が相対的に近づき、前記鉤部と前記凹部はスムーズに対応するように係合する。
【０００６】
また、前記凹部は凹溝と当接部を備え、前記鉤部は第１の連接部と第２の連接部を備え、前記鉤部が前記凹部と係合した後、前記当接部は前記鉤部の前記第２の連接部の前記外周側に対応するように設置されて前記第１の連接部に当接し、前記第１の連接部は前記凹溝内に収容される。
【０００７】
また、前記第２の連接部は、前記チェーンベルトの前記第１の端部と前記第１の連接部に連接され、前記第１の連接部は前記第２の連接部から離れた側に斜面が形成される。
【０００８】
また、前記第２の連接部は弾性変形量を有し、前記鉤部が前記凹部に係合したとき、前記チェーンベルトが前記作用力を受けて前記第１の端部と前記第２の端部が相対的に離間したとき、前記第２の連接部には弾性変形が発生して、前記鉤部は前記凹部から離脱する。
【０００９】
また、前記鉤部は第１の連接部と第２の連接部を備え、前記第２の連接部は前記チェーンベルトの前記第１の端部と前記第１の連接部と連接し、前記第１の連接部は前記第２の連接部から離れた側に斜面が形成される。
【００１０】
また、前記ボール保持器の前記鉤部は変形して前記凹部から離脱する。
【００１１】
更に、前記凹部は前記チェーンベルトと互いに連接する箇所が変形し、前記鉤部を前記凹部から離脱させる。
【００１２】
また、本考案によるボール保持器は、他の複数の鉤部を更に備え、前記他の複数の鉤部は前記鉤部と前記チェーンベルトの前記第１の端部の間に設けられ、前記他の複数の鉤部と前記鉤部のうちの何れか一つは前記凹部と対応するように係合する。
【００１３】
また、他の複数の凹部を更に備え、前記他の複数の凹部は前記凹部と前記チェーンベルトの前記第２の端部の間に設けられ、前記鉤部は前記凹部と前記他の複数の凹部のうちの何れか一つに対応するように係合する。
【００１４】
また、前記ボール保持器の材質はプラスチックである。
【本考案の効果】
【００１５】
本考案は以上の構成を備えるので、本考案によるボール保持器は、チェーンベルトの端部に設けられるフック（鉤部）形状の構造を利用することにより、カーブする箇所でように回転移動している最中であっても、更には通常の移動中であるが僅かな不規則な凹凸があるためにスムーズに運行できないときであっても、鉤部と凹部の取り外しにより、鉤部と凹部がチェーンベルトから切断されてしまうことを防ぐことができる共に、接続時における可動性も向上させることができる。
【００１６】
さらに、離脱した後でも、伝達部材がスムーズに動作する状態に戻れば、鉤部と凹部が係合するように、初期の接続状態に復帰するので、ボール保持器を全体としてスムーズに動作させることができる。
【００１７】
このため、全体の耐荷重性を向上させ、過度の作用力や障害物による損傷を回避し、回転する（カーブする）箇所を通過する際に生じ得るスムーズな動作ができないといった問題をも解決することができる。更には、本考案は、このような効果を奏するので、ボール保持器の耐用年数を延ばすこともできる。
【００１８】
以下、図面を参照しながら本考案の特徴と優れた点を説明する。その内容は、本考案の技術分野に関連する技術に精通している当業者であれば技術的内容を理解し得るものである。また、その記載内容に基づいて本考案を使用した製品を製造し、実施するのに十分である。また、本考案の明細書と実用新案登録の範囲又は図面に記載されているように、当業者であれば、本考案の目的、作用効果、実施方法、利点のいずれをも容易に理解することができる。
【図面の簡単な説明】
【００１９】
【図１】本考案のボール保持器の外観を示す斜視図である。
【図２】本考案のボール保持器の要部を示した分解斜視図である。
【図３】本考案のボール保持器の要部を示した斜視図である。
【図４】本考案によるボール保持器の部分断面図である。
【図５】本考案によるボール保持器の作用力を受けている状態の部分断面図である。
【図６】本考案のボール保持器の鉤部と凹部が離脱した状態を示す部分断面図である。
【図７】本考案のボール保持器の鉤部と凹部が係合しようとする状態を示す部分断面図である。
【図８】本考案の他の実施形態を示すボール保持器の要部拡大図である。
【図９】本考案の他の実施形態を示すボール保持器の要部拡大図である。
【考案を実施するための形態】
【００２０】
図１〜図５を参照して本考案を説明する。ここで、図１は本考案のボール保持器の外観を示す斜視図である。また、図２は本考案のボール保持器の要部を示した分解斜視図である。更に、図３は本考案のボール保持器の要部を示した斜視図である。また、図４は本考案によるボール保持器の部分断面図であり、図５は本考案によるボール保持器が作用力を受けている状態の部分断面図である。図２、図３に示すように、本考案によるボール保持器１００はチェーンベルト１０、鉤部２０、凹部３０を備える。
【００２１】
図１を参照して説明する。チェーンベルト１０は相対するように位置する第１の端部１１と第２の端部１２を有する。第１の端部１１と第２の端部１２の間には複数個の収納部１３が設けられる。各収納部１３にはボールが収容される。図１におけるチェーンベルト１０は要部を示したものである。そして、実際の使用状況としては、詳しくは後述するが、チェーンベルト１０の第１の端部１１と第２の端部１２の間の収納部１３のヘッドとテールを繋ぎ合わせて長い紐状（ループ状）に形成する。なお、実際の全体的な構造は図４と図５を参照して説明する。
【００２２】
チェーンベルト１０の収納部１３はボールを入れるために用いられる。本実施形態において、ボールは四角形のビーズであるが、これには限られない。また、他の実施形態においてボールは丸いビーズであり、例えば球状のベアリングでもよい。
【００２３】
収納部１３は、上下方向に延伸する止め部１３１を利用することによって、ボールを挟持するように固定し、ボールの間を適切な距離に維持する。このような構造により、収納部１３は、運行過程において連続して衝突することによって発生する騒音が出ないようにすることができる。
【００２４】
図２と図３を両方参照しながら本考案の実施形態を説明する。鉤部２０はチェーンベルト１０の第１の端部１１に設けられ、凹部３０は鉤部２０と対応するように設けられ、チェーンベルト１０の第２の端部１２に設けられる。
【００２５】
図２と図３に加え、図４を併せて参照して説明する。本実施形態のボール保持器１００の鉤部２０と凹部３０は対応するように係合した後は、図４に示す外周側１４と内周側１５が形成される。すなわち、図４から明らかなように、第１の端部１１と第２の端部を接続して円環を形成した場合、円環の内部を内周側と呼び、円環の外側を外周側という。鉤部２０は外周側１４に向かって延伸するように形成され、凹部３０は内周側１５に向かって開口している。
【００２６】
本実施形態において、鉤部２０は外周側１４に向いて延伸するように形成され、凹部３０は内周側１５に向いているが、これには限られない。他の実施形態においては、鉤部２０と凹部３０の相対的な位置関係を相互に入れ替えることができ、すなわち、鉤部２０が内周側１５に向いて延伸するように形成され、凹部３０が外周側１４に向いて形成されていても良く、要するに鉤部２０と凹部３０を接続できれば良い。
【００２７】
ここで、鉤部２０が一方の側（内周側１５又は外周側１４）に向いて延伸するように形成されるとは、凹部３０に対応するように係合する係合部分が延伸する方向を意味する。
【００２８】
具体的には、図２に示すように、鉤部２０は第１の連接部２１と第２の連接部２２を備え、第２の連接部２２の二つの側はそれぞれチェーンベルトの第１の端部１１と第１の連接部に連接される。
【００２９】
第１の連接部２１は即ち図２に示す上方向に延伸しており、第２の連接部２２の上側の表面から更に突出するように上方向に延伸しており、凹部３０と係合可能な鉤部構造を形成している。
【００３０】
第１の連接部２１は第２の連接部２２から離れた側に斜面２１１が形成される。斜面２１１が形成されることにより、連接箇所における接続のし易さを高めることができる。ここで、斜面の傾きは外周側１４から内周側１５へ向かうに連れて下るように傾斜している。
【００３１】
鉤部２０と凹部３０が相互に離脱した後、離脱した作用力或は障害が取り除かれて鉤部２０と凹部３０が相互に近づいて係合するとき、例えば、凹部３０は斜面２１１に沿って押し上げられて鉤部２０に係合することができる。このように、斜面２１１の設置により、鉤部２０と凹部３０を離脱後に再度相互に連接させることができる。
【００３２】
次に、図３と図４を参照して説明する。凹部３０は凹溝３１と当接部３２を備える、鉤部２０が凹部と係合した後、当接部３２は鉤部２０の第２の連接部２２の上側（すなわち図４において外周側１４）に位置し、第１の連接部２１と当接する。また、第１の連接部２１は凹溝３１内に収容されるので、運行時に、凹部３０の当接部３２は凹溝３１に収容された第１の連接部２１を伴って動作する。
【００３３】
次に、図４に加えて、図６と図７を参照して説明する。ここで、図６は本考案のボール保持器の鉤部と凹部が離脱した状態を示す部分断面図であり、図７は本考案のボール保持器の鉤部と凹部が係合しようとする状態を示す部分断面図である。
【００３４】
図４から明らかなように、本実施形態においてボール保持器１００は、実際の使用状況においては時計回りに回転し、進行方向は図４、図６の矢印Ａで示す通りである。
【００３５】
チェーンベルト１０の第２の端部１２の凹部３０は凹溝３１で収容する鉤部２０を伴って移動し、鉤部２０の第１の連接部２１が凹溝３１内に収容されることにより、凹部３０の当接部３２が第２連接部２２より更に上側（外周側１４）に突出した第１の連接部２１の図４における左側の箇所に当接する。次に、鉤部２０と凹部３０の離脱に関する各種動作を説明する。
【００３６】
図５〜図７に示すように、本実施形態において、鉤部２０の第２の連接部２２は弾性変形量を有する。つまり、第２の連接部は、弾性部材で構成され、弾性変形可能であるという意味である。鉤部２０が凹部３０と係合している時にチェーンベルト１０が作用力を受けて、第１の端部１１と第２の端部１２が相対的に離れたとき、第２の連接部２２は弾性変形を生じ、鉤部２０を凹部３０から離脱させる。
【００３７】
図５に示すように、凹部３０が鉤部２０を伴って装置内を運行するとき、図５の矢印Ａに示すように時計回りに回転し、凹部３０と鉤部２０の接続箇所がカーブする箇所或は凹凸がありスムーズに運行できない箇所に差し掛かった時、チェーンベルト１０は作用力を受けて引っ張られることとなる。
【００３８】
ここで、鉤部２０と凹部３０の間の接続力は弱いが、一定程度までは接続を保つことができる。このため、チェーンベルト１０が作用力を受けても、鉤部２０の第２の連接部２２は弾性変形が生じて、内周側１５の方向（つまり、図５の矢印Ｂで示す方向）へ折れ曲がるだけで足り、直ちには凹部３０から鉤部２０は離脱しない。
【００３９】
そして、更に引っ張られると、鉤部２０の第１の接続部２１は、凹部３０の凹溝３１から移動するように外へ出て、且つ、鉤部２０が完全に凹部３０から離脱して、図６に示した状態となる。
【００４０】
図６から明らかなように、鉤部２０は凹部３０から離脱してしまうと、作用力の影響を受けないので、カーブする部分に差し掛かることにより生じた鉤部２０の変形は、弾性変形するという材料の性質によって変形前の状態に回復する。つまり、鉤部２０と凹部３０の部分は恒久的に変形し続ける訳ではない。そして、ボール保持器１００が尚も装置において順次運行して、両者が外れている間は上述した作用力の影響を受けない。
【００４１】
次に、図７を参照して説明する。離脱する作用力が消失し、或はスムーズに運行できない障害が無くなると、ボール保持器１００は継続した運行過程において、チェーンベルト１０の第１の端部１１と第２の端部１２が互いに接近して、鉤部２０と凹部３０が正に今再度係合しようとするとき、鉤部２０は凹部３０の前側の当接部３２の箇所に近づき、当接する。
【００４２】
そして、鉤部２０には斜面２１１が形成されているので、その作用によって、第２の連接部２２は弾性変形する。すなわち、内周側１５へ第２の連接部２２が折れ曲がる。斜面２１１をスライドして第１の連接部２１が完全に凹溝３１の内部に収容されたとき、再び材料本来の弾性回復力（図７において矢印Ｃで示す。つまり、外周側１４へ戻るように復元する。）によって、図５で示した状態の位置関係に再び戻ることができる。鉤部２０を凹部３０と対応するように係合させて、ボール保持器１００は係合した状況を保ったまま再び運行を続ける。
【００４３】
他の実施形態において、鉤部２０全体は弾性変形量を具備するものである。つまり、全部が弾性部材で形成されているという意味である。
【００４４】
チェーンベルト１０が作用力を受けて第１の端部１１と第２の端部１２が相対的に離れたとき、鉤部２０は比較的大きな部位が弾性変形し、鉤部２０が凹部３０から離脱する。
【００４５】
詳細には、本実施形態におけるボール保持器１００は装置内で運行して、作用力が働くカーブする箇所まで来た場合、或は凹凸等がありスムーズに運行できない箇所まで来た場合には、鉤部２０と凹部３０の間は作用力を受けることにより引き離されるように引っ張られる。
【００４６】
しかし、鉤部２０は一定程度の弾性変形量を有するが、鉤部２０は弾性変形しながら、内周側１５の方向へ湾曲し、一定程度の作用力を超えると鉤部２０の弾性変形可能な範囲を超えるので、鉤部２０の第１の連接部２１は凹部３０の凹溝３１の内部から移動して外れる。
【００４７】
このため、鉤部２０は変形してから３０凹部から離脱し、鉤部２０が凹部３０との間で継続して生ずる作用力によっても、永久的には変形せず、甚だしきに至っては断裂してしまうといった問題を回避することができる。鉤部２０は凹部３０から離脱した後、いかなる作用力の影響も受けず、鉤部２０の変形は、弾性変形するという材料の特性によって回復し、鉤部２０には永久的な変形は生じず、元の形状に戻る。
【００４８】
そして、ボール保持器１００は尚も装置の内部を順に運行し、上述した作用力の影響を受けない。なお、継続して運行している最中に鉤部２０と凹部３０が係合する場合には上述の動作をするが、既に述べたのでここでは再度説明しない。
【００４９】
また、本考案の実施形態において、凹部３０とチェーンベルト１０が互いに連結する箇所は弾性変形量を有する。チェーンベルト１０が作用力を受けて第１の端部１１と第２の端部１２が互いに離間したとき、凹部３０とチェーンベルト１０が互いに連結する箇所は弾性変形が生じて、鉤部２０を凹部３０から離脱させる。
【００５０】
詳細には、本実施形態においてボール保持器１００は装置内のカーブする箇所に差し掛かるとき、又はスムーズに運行できない場所に差し掛かったとき、鉤部２０と凹部３０の間には作用力を受けて引っ張られる。そのため、凹部３０とチェーンベルト１０が互いに連結する箇所は所定の弾性変形量を有し、凹部３０とチェーン１０が互いに接続される箇所には弾性変形が生じ、外周側１４の方向へ湾曲し、鉤部２０の第１の連接部２１は凹部の凹溝３１の中から離脱する。
【００５１】
このため、凹部３０とチェーンベルト１０が互いに連結する箇所が変形して凹部から離脱するので、鉤部２０と凹部３０の間に継続した引っ張られる力がかからず、永久的には変形せず、更に、断裂してしまうことを防止することもできる。
【００５２】
鉤部２０と凹部３０が離脱した後は、如何なる作用力も受けない影響下にあるので、凹部３０とチェーン１０が互いに連結する箇所の変形は材料が元から有する特性によって回復し、凹部３０とチェーンベルト１０が互いに連結する箇所には永久的な変形が生じない。
【００５３】
続いて、ボール保持器１００は尚も装置の内部を継続的且つ順調に運行し、先に述べた作用力の影響を受けない。
【００５４】
その後は運行を継続的に行った後、鉤部２０と凹部３０が係合する際は上述の動作を行う。凹部３０はチェーンベルト１０と互いに連接する箇所が再び変形して、鉤部２０は再び凹部３０と係合する。
【００５５】
このため、本実施形態のボール保持器１００は、端部である鉤部２０と凹部３０に設けられる構造なので、チェーンベルト１０のヘッドとテール（両端部同士）を連結することができ、第１の端部１１の鉤部２０を第２の端部の凹部に係合させることができ、鉤部２０と凹部３０との間の連接を弱くすることができる。
【００５６】
このため、伝動部材が装置におい循環する際のカーブする箇所やスムーズに循環できない箇所を通過する場合には、チェーンベルト１０の両端に設けられた鉤部２０は凹部３０から離脱することができ、鉤部２０と凹部３０のチェーンベルト１０において互いに接続されている箇所が断裂してしまうことを回避することができると共に、連接されている箇所でトラブルが起きにくい。
【００５７】
また、両者が離れた後に伝動部材がスムーズに動くことができ、鉤部２０と凹部３０は再び対応するように係合するので、開始したときの連接状態に戻ってボール保持器１００を伴って全体的にスムーズに運行することができる。
【００５８】
このため、全体的な負荷能力を向上させることができると共に、過大な作用力を受けないようにすることができ、更には、この結果、ボール保持器１００を破損させにくくできる。更に、カーブする箇所を通過する場合でもスムーズに循環することができ、結果的に、ボール保持器１００を使用することができる寿命も長くできる。
【００５９】
実際の使用において、装置内の循環通路の寸法（長さ）とボール保持器１００の寸法はユーザーのニーズに基づいて算出して設計される。また、循環通路がカーブする箇所或は凹凸が有る等してスムーズに運行できない状況では、チェーンベルト１０の両端に設けられた鉤部２０は凹部３０から離脱することができ、ボール保持器１００のチェーンベルト１０の通路内においてスムーズに運行することができる場合には、離脱した両端部に設けられた鉤部２０と凹部３０は自動的に係合する状態に復帰することができる。
【００６０】
更に、鉤部２０の第１の連接部２１には斜面２１１が形成されており、鉤部２０が凹部３０と相互に離脱した後は、離脱した作用力或はスムーズに旋回できない等の障害が解除されると、鉤部２０が凹部３０に相互に近づいて係合しようとする際、凹部３０はこの斜面２１１を利用してスライドして鉤部２０と係合する。このため、斜面２１１を設けたことにより、鉤部２０が凹部３０から離脱した後でもスムーズに再び係合させることができる。
【００６１】
また、図２と図３から明らかなように、本実施形態のボール保持器１００は、鉤部２０の幅が概ね凹部３０の幅に等しい。このため、鉤部２０が凹部３０に係合したとき、鉤部２０を凹部３０内に完全に収容することができる。
【００６２】
また、本実施形態によるボール保持器１００の材質はプラスチックであるので、鉤部２０と凹部３０は所定の弾性変形量を有する。そのため、装置内を循環運行しているとき、チェーンベルト１０が作用力を受けて引っ張られたときでも、鉤部２０の第２の連接部２２、鉤部２０、又は凹部３０は、チェーンベルト１０との接続箇所が同時に若しくは個別に弾性変形することができ、鉤部２０を凹部３０から離脱させることができる。そして、この状態でも、ボール保持器１００は尚も運行を続けることができる。
【００６３】
また、本実施形態において、ボール保持器１００の材質はプラスチックだがこれには限られない。他の実施形態においては、ボール保持器１００の材質はその他の一定程度の弾性変形をし得る部材であれば差し支えない。
【００６４】
続いて、図８と図９を参照して本考案の他の実施形態を説明する。図８は本考案の実施形態におけるボール保持器１００の要部拡大図であり、図９は本考案又は他の実施形態におけるボール保持器の要部拡大図である。
【００６５】
これら２つの実施形態では上述した実施形態と同一の構成については同一の符号を付して、再度の構成の説明を省略する。図８から明らかなように、本考案の他の実施形態におけるボール保持器１００は更に複数の鉤部を備える。説明の便宜上これら複数の鉤部については第１の鉤部４０と称するものとする。
【００６６】
なお、図８における４個の第１の鉤部４０は例示に過ぎず、この数量は適宜必要性に基づいて増減させても良く、４個に限られるものではない。第１の鉤部４０は、いずれも鉤部２０と第１の端部１１の間に設けられる。複数の第１の鉤部４０と鉤部２０のうちの何れか１個は凹部３０と対応するように係合する。
【００６７】
このため、上述した実施例と同様に、カーブする箇所等の作用力がかかる場所では離脱し、又はスムーズに運行できない箇所でも一時的に離脱する。そして、鉤部２０或は複数の第１の鉤部４０と凹部３０が再び接近して係合する。そして、鉤部２０と複数の第１の鉤部４０を設けているので、チェーンベルト１０は使用過程において、たとえ第１の鉤部４０から離脱しても、後方に続く複数の鉤部４０又は最後尾に位置する鉤部２０と係合することができ、一時的に凹部３０から離脱しても、その後には複数の鉤部４０又は鉤部２０と係合するので、継続して装置内を運行する能力が更に高まる。
【００６８】
更に、スクロールするボールのチャネルの長さに応じて、バックルを取り付ける際に必要な長さを調整できるので、様々なサイズのスライドレールに対して使用することができる。
【００６９】
図９を参照して説明する。図９は本考案のボール保持器１００の他の実施例を示したものである。図９から明らかなように、図９の実施形態では複数の凹部を更に備える。これら複数の凹部のことを、説明の便宜上第１の凹部５０と称するものとする。第１の凹部５０は凹部３０とチェーンベルト１０の第２の端部１２の間に設けられ、鉤部２０は、複数の第１の凹部５０と凹部３０の中の何れか一つと対応するように係合する。
【００７０】
このため、上述した実施形態と同様に、作用力によって離脱し、又はスムーズに運行できない箇所で両者の係合が解除された後でも、鉤部２０は凹部３０又は第１の凹部５０と相互に接近して係合することができ、凹部３０と第１の凹部５０が設けられることにより、チェーンベルト１０の使用過程において、鉤部２０がたとえ何れかの第１の凹部５０から離脱したとしても、後続の他の第１の凹部５０又は最後尾に位置する凹部３０と再び係合することができ、一時的に完全に鉤部２０が離脱しても、装置が継続して運行を続ける能力を更に高めることができる。
【００７１】
更に、スクロールするボールのチャネルの長さに応じて、バックルを取り付ける際に必要な長さを調整できるので、様々なサイズのスライドレールに対して使用することができる。
【００７２】
また、本実施形態においては、ボール保持器１００は第１の鉤部４０と第１の凹部５０の両方を設けても差し支えない。第１の鉤部４０の数量が増加し、これらと対応する第１の凹部５０の数量も増加するので、チェーンベルト１０のヘッドとテールを連結する能力を更に高めることができる。
【００７３】
以上の様に、本考案によって提供されるボール保持器１００は、チェーンベルト１０の端部１１が鉤状の構造となっているので、循環時にカーブする箇所を通過する時や、スムーズに循環運行ができない箇所を通過する時は、鉤部２０が凹部３０から一時的に離脱する。このため鉤部２０と凹部３０とチェーンベルト１０を互いに連結する箇所に過大な負荷がかかりにくいため、連接箇所が断裂しにくく、連接箇所がネックとなって循環できなくなってしまう可能性を低くできる。
【００７４】
また、凹部３０から鉤部２０が離脱した後に、作用力が高くかかる箇所やスムーズに運行できない箇所を通過し終わり、障害となる箇所を通り過ぎると、ボール保持器１００は元の連接状態に回復する。つまり、凹部３０に鉤部２０が係合する状態に復帰して、更に運行を続けることができる。
【００７５】
このため、全体の負荷能力を高めることができ、過大な作用力を受けて或はスムーズに進行できない凹凸があるような箇所を通過することによって、チェーンベルト１０の接続箇所が破損してしまうことを回避し、カーブする箇所やスムーズに運行できない箇所を凹部３０と鉤部２０が通過する際にも運行の妨げとなりにくく、ひいては、ボール保持器１００の使用寿命自体も長く出来る。
【００７６】
本考案は上述の実施形態を説明したが、これらの実施形態は本考案の範囲を限定するものではなく、当業者が本考案の精神から逸脱しない範囲内である限り、軽微な変更や付加を加えたとしても本考案の技術的範囲に含まれるものとする。また、本考案の技術的範囲は実用新案登録請求の範囲の記載に基づいて定められるものとする。
【符号の簡単な説明】
【００７７】
１００  ボール保持器
１０    チェーンベルト
１１    第１の端部
１２    第２の端部
１３    収納部
１３１  止め部
１４    外周側
１５    内周側
２０    鉤部
２１    第１の連接部
２１１  斜面
２２    第２の連接部
３０  凹部
３１  凹溝
３２  当接部
４０  第１の鉤部
５０  第１の凹部
Ａ、Ｂ、Ｃ  矢印
【図１】
0003234633.tif 000003
【図２】
0003234633.tif 000004
【図３】
0003234633.tif 000005
【図４】
0003234633.tif 000006
【図５】
0003234633.tif 000007
【図６】
0003234633.tif 000008
【図７】
0003234633.tif 000009
【図８】
0003234633.tif 000010
【図９】
0003234633.tif 000011